(57)【要約】  個々の建物の消費電力を制御する指令を送信する際の通信トラフィックの増加を低く抑える。  広域管理システム１０は、指令テーブル２２０を保持するデータベース２２と、最上位の建物管理装置３０のそれぞれへ制御指令を送信する送信部２５とを有する広域管理装置２０と、管理テーブル３３０および建物別対応表３３１を保持するデータベース３３と、受信部３２が制御指令を受信した場合に、管理テーブル３３０を参照して下位の建物管理装置３０を特定し、特定した建物管理装置３０のそれぞれへ、受信した制御指令を転送する転送部３１と、制御指令に対応するイベントプログラムを建物別対応表３３１から抽出するイベントプログラム抽出部３４と、抽出されたイベントプログラムを実行して建物の消費電力を制御するイベントプログラム実行部３５とを有する建物管理装置３０とを備える。
2015029194.tif 000002
【特許請求の範囲】
【請求項１】
各建物で消費される電力を管理する広域管理システムであって、
広域管理装置と、
各建物に対応して設けられた建物管理装置と
を備え、
前記広域管理装置は、
それぞれの建物管理装置毎に、当該建物管理装置が上位の代表管理装置となって管理する下位の建物管理装置の情報を格納する管理テーブルを保持する第１の管理テーブル保持部と、
前記第１の管理テーブル保持部が保持している管理テーブルを参照して最上位の建物管理装置を特定し、特定した建物管理装置のそれぞれへ、各建物の消費電力の削減を指示する１つの制御指令を送信する送信部と
を有し、
それぞれの前記建物管理装置は、
前記管理テーブルを保持する第２の管理テーブル保持部と、
前記制御指令に対応付けて、当該制御指令を実現するために、当該建物管理装置に対応する建物内の各設備機器に対して行うべき制御内容を記述したイベントプログラムを保持するイベントプログラム保持部と、
前記広域管理装置または上位の代表管理装置から前記制御指令を受信する受信部と、
前記受信部が前記制御指令を受信した場合に、前記第２の管理テーブル保持部が保持している管理テーブルを参照して、自建物管理装置が代表管理装置となって管理している下位の建物管理装置を特定し、特定した建物管理装置のそれぞれへ、受信した前記制御指令を転送する転送部と、
前記受信部が前記制御指令を受信した場合に、当該制御指令に対応するイベントプログラムを前記イベントプログラム保持部から抽出するイベントプログラム抽出部と、
抽出されたイベントプログラムを実行して自建物管理装置に対応する建物内の各設備機器の消費電力を制御するイベントプログラム実行部と
を有することを特徴とする広域管理システム。
【請求項２】
請求項１に記載の広域管理システムであって、
前記送信部は、
前記第１の管理テーブル保持部が前記管理テーブルを保持した場合に、当該管理テーブルを参照して最上位の建物管理装置を特定し、特定した建物管理装置へ当該管理テーブルを送信し、
前記受信部は、
前記広域管理装置または上位の代表管理装置から前記管理テーブルを受信した場合に、受信した管理テーブルを前記第２の管理テーブル保持部に保持させ、
前記転送部は、
前記第２の管理テーブル保持部が前記管理テーブルを保持した場合に、当該管理テーブルを参照して前記下位の建物管理装置を特定し、特定した建物管理装置へ当該管理テーブルを転送することを特徴とする広域管理システム。
【請求項３】
請求項１または２に記載の広域管理システムであって、
それぞれの前記建物管理装置は、
自建物管理装置および前記下位の建物管理装置に対応付けて、それぞれの建物管理装置に対応する建物の消費電力の情報を保持する電力情報保持部と、
自建物管理装置に対応する建物の消費電力の情報を収集して前記電力情報保持部に保持させると共に、前記下位の建物管理装置から当該建物管理装置に対応する建物の消費電力の情報を収集して前記電力情報保持部に保持させる電力情報収集部と、
前記受信部が受信した前記制御指令を前記転送部が前記下位の建物管理装置のそれぞれへ転送し、かつ、当該制御指令に対応するイベントプログラムを自建物管理装置内の前記イベントプログラム実行部が実行した後に、前記電力情報保持部を参照して、自建物管理装置に対応する建物および前記下位の建物管理装置に対応する建物の消費電力の合計を算出し、算出した消費電力の合計が、前記制御指令で削減が指示されている消費電力以上の場合に、さらなる消費電力の削減を指示する追加指令を生成し、生成した追加指令を、自建物管理装置内のイベントプログラム抽出部、または、前記下位の建物管理装置の、少なくともいずれかへ送信する追加指令送信部と
をさらに有することを特徴とする広域管理システム。
【請求項４】
請求項３に記載の広域管理システムであって、
前記追加指令送信部は、
前記制御指令で指示されている消費電力未満となっている建物に対応する自建物管理装置内のイベントプログラム抽出部および前記下位の建物管理装置の中から、前記追加指令の送信先を１つ選択し、選択した建物管理装置へ前記追加指令を送信することを特徴とする広域管理システム。
【請求項５】
請求項３に記載の広域管理システムであって、
前記追加指令送信部は、
前記制御指令で指示されている消費電力未満となっている建物に対応する自建物管理装置内のイベントプログラム抽出部および前記下位の建物管理装置のそれぞれへ前記追加指令を送信することを特徴とする広域管理システム。
【請求項６】
各建物で消費される電力を管理する広域管理システムに用いられる広域管理装置であって、
それぞれの建物に対応して設けられた建物管理装置毎に、当該建物管理装置が上位の代表管理装置となって管理する下位の建物管理装置の情報を格納する管理テーブルを保持する管理テーブル保持部と、
前記管理テーブル保持部が保持している管理テーブルを参照して最上位の建物管理装置を特定し、特定した建物管理装置のそれぞれへ、各建物の消費電力の削減を指示する１つの制御指令を送信する送信部と
を備えることを特徴とする広域管理装置。
【請求項７】
各建物に対応して設けられる建物管理装置であって、
それぞれの建物管理装置毎に、当該建物管理装置が上位の代表管理装置となって管理する下位の建物管理装置の情報を格納する管理テーブルを保持する管理テーブル保持部と、
各建物の消費電力の削減を指示する制御指令に対応付けて、当該制御指令を実現するために、当該建物管理装置に対応する建物内の各設備機器に対して行うべき制御内容を記述したイベントプログラムを保持するイベントプログラム保持部と、
前記広域管理装置または上位の代表管理装置から前記制御指令を受信する受信部と、
前記受信部が前記制御指令を受信した場合に、前記管理テーブル保持部が保持している管理テーブルを参照して、自建物管理装置が代表管理装置となって管理している下位の建物管理装置を特定し、特定した建物管理装置のそれぞれへ、受信した前記制御指令を転送する転送部と、
前記受信部が前記制御指令を受信した場合に、当該制御指令に対応するイベントプログラムを前記イベントプログラム保持部から抽出するイベントプログラム抽出部と、
抽出されたイベントプログラムを実行して自建物管理装置に対応する建物内の各設備機器の消費電力を制御するイベントプログラム実行部と
を備えることを特徴とする建物管理装置。
【請求項８】
広域管理装置と、各建物に対応して設けられた建物管理装置とを備え、各建物で消費される電力を管理する広域管理システムにおける広域管理方法であって、
前記広域管理装置が、
それぞれの建物管理装置毎に、当該建物管理装置が上位の代表管理装置となって管理する下位の建物管理装置の情報を格納する管理テーブルを保持する第１の管理テーブル保持部を参照して最上位の建物管理装置を特定し、特定した建物管理装置のそれぞれへ、各建物の消費電力の削減を指示する１つの制御指令を送信する送信ステップを実行し、
それぞれの前記建物管理装置が、
前記広域管理装置または上位の代表管理装置から前記制御指令を受信する受信ステップと、
前記受信部が前記制御指令を受信した場合に、前記管理テーブルを保持する第２の管理テーブル保持部を参照して、自建物管理装置が代表管理装置となって管理している下位の建物管理装置を特定し、特定した建物管理装置のそれぞれへ、受信した前記制御指令を転送する転送ステップと、
前記受信ステップにおいて前記制御指令を受信した場合に、前記制御指令に対応付けて、当該制御指令を実現するために、当該建物管理装置に対応する建物内の各設備機器に対して行うべき制御内容を記述したイベントプログラムを保持するイベントプログラム保持部を参照して、当該制御指令に対応するイベントプログラムを抽出するイベントプログラム抽出ステップと、
抽出されたイベントプログラムを実行して自建物管理装置に対応する建物内の各設備機器の消費電力を制御するイベントプログラム実行ステップと
を実行することを特徴とする広域管理方法。
【請求項９】
請求項８に記載の広域管理方法であって、
前記広域管理装置は、前記送信ステップにおいて、
前記第１の管理テーブル保持部が前記管理テーブルを保持した場合に、当該管理テーブルを参照して最上位の建物管理装置を特定し、特定した建物管理装置へ当該管理テーブルを送信し、
それぞれの前記建物管理装置は、前記受信ステップにおいて、
前記広域管理装置または上位の代表管理装置から前記管理テーブルを受信した場合に、受信した管理テーブルを前記第２の管理テーブル保持部に保持させ、
それぞれの前記建物管理装置は、前記転送ステップにおいて、
前記第２の管理テーブル保持部が前記管理テーブルを保持した場合に、当該管理テーブルを参照して前記下位の建物管理装置を特定し、特定した建物管理装置へ当該管理テーブルを転送することを特徴とする広域管理方法。
【請求項１０】
請求項８または９に記載の広域管理方法であって、
それぞれの前記建物管理装置は、
自建物管理装置に対応する建物の消費電力の情報を収集して電力情報保持部に保持させると共に、前記下位の建物管理装置から当該建物管理装置に対応する建物の消費電力の情報を収集して前記電力情報保持部に保持させる電力情報収集ステップと、
前記受信ステップにおいて受信した前記制御指令を前記転送ステップにおいて前記下位の建物管理装置のそれぞれへ転送し、かつ、当該制御指令に対応するイベントプログラムを自建物管理装置内の前記イベントプログラム実行ステップにおいて実行した後に、前記電力情報保持部を参照して、自建物管理装置に対応する建物および前記下位の建物管理装置に対応する建物の消費電力の合計を算出し、算出した消費電力の合計が、前記制御指令で削減が指示されている消費電力以上の場合に、さらなる消費電力の削減を指示する追加指令を生成し、生成した追加指令に対応するイベントプログラムを前記イベントプログラム抽出ステップにおいて抽出するか、または、前記下位の建物管理装置の少なくともいずれかへ送信する追加指令送信ステップと
をさらに実行することを特徴とする広域管理方法。
【請求項１１】
請求項１０に記載の広域管理方法であって、
それぞれの前記建物管理装置は、前記追加指令送信ステップにおいて、
前記制御指令で指示されている消費電力未満となっている建物に対応する自建物管理装置および前記下位の建物管理装置の中から、前記追加指令の送信先を１つ選択し、選択した建物管理装置へ前記追加指令を送信することを特徴とする広域管理方法。
【請求項１２】
請求項１０に記載の広域管理方法であって、
それぞれの前記建物管理装置は、前記追加指令送信ステップにおいて、
前記制御指令で指示されている消費電力未満となっている建物に対応する自建物管理装置および前記下位の建物管理装置のそれぞれへ前記追加指令を送信することを特徴とする広域管理方法。
【発明の詳細な説明】
【技術分野】
【０００１】
本発明は、広域管理システム、広域管理装置、建物管理装置、および広域管理方法に関する。
【背景技術】
【０００２】
従来から、ビル、病院、学校や工場などの建物には、設備機器を管理する管理装置が存在しており、また、複数の建物における設備機器の情報を、通信ネットワークを介して遠隔の場所からモニタリングするシステムが存在している。【０００３】
このように、通信ネットワークの高速化、広帯域化によって、広域に点在する建物間でのデータの比較を容易かつリアルタイムに行い、複数の建物内の設備機器を連動させて自動制御する技術が開示されている（例えば、下記特許文献１参照）。
【先行技術文献】
【特許文献】
【０００４】
【特許文献１】特開２０１２−５３５４９号公報
【発明の概要】
【発明が解決しようとする課題】
【０００５】
ところで、上記特許文献１の広域管理装置は、イベントプログラム選択手段において複数の建物に指令を出すことができるものの、管理対象の建物の数が増加すると、それぞれの建物毎に出す指令を作成するためのイベントプログラムも増加し、そのイベントプログラムを管理することが困難になる。例えば１時間単位などの短い時間間隔で各建物の消費電力を制御することが必要となる場合があるが、上記特許文献１の広域管理装置は複数の建物の消費電力を集中管理するため、管理対象の建物の数が多いと、その都度、建物毎に個別に指令を作成することは時間的に困難な場合がある。【０００６】
また、上記特許文献１の広域管理装置は、管理対象となる建物の電力を制御する個別の指示を、それぞれの建物を管理している全ての管理装置にそれぞれ送信している。そのため、管理対象の建物が多くなると、制御指示の送信にかかる通信トラフィックが増大し、制御指示の到達に遅延が生じたり、ネットワーク上を流れる他の通信データの送受信に支障をきたす場合がある。【０００７】
本発明は上記事情を鑑みてなされたものであり、本発明の目的は、管理対象の建物が多い場合であっても、個々の建物の消費電力を制御する処理を広域管理装置と建物管理装置で分担することで広域管理装置の処理量を低減し、消費電力を制御する指令を送信する際の通信トラフィックの増加を低く抑えることができるようにすることにある。
【課題を解決するための手段】
【０００８】
上記課題を解決するための本発明の第一の態様は、例えば、各建物で消費される電力を管理する広域管理システムであって、
広域管理装置と、
各建物に対応して設けられた建物管理装置と
を備え、
前記広域管理装置は、
それぞれの建物管理装置毎に、当該建物管理装置が上位の代表管理装置となって管理する下位の建物管理装置の情報を格納する管理テーブルを保持する第１の管理テーブル保持部と、
前記第１の管理テーブル保持部が保持している管理テーブルを参照して最上位の建物管理装置を特定し、特定した建物管理装置のそれぞれへ、各建物の消費電力の削減を指示する１つの制御指令を送信する送信部と
を有し、
それぞれの前記建物管理装置は、
前記管理テーブルを保持する第２の管理テーブル保持部と、
前記制御指令に対応付けて、当該制御指令を実現するために、当該建物管理装置に対応する建物内の各設備機器に対して行うべき制御内容を記述したイベントプログラムを保持するイベントプログラム保持部と、
前記広域管理装置または上位の代表管理装置から前記制御指令を受信する受信部と、
前記受信部が前記制御指令を受信した場合に、前記第２の管理テーブル保持部が保持している管理テーブルを参照して、自建物管理装置が代表管理装置となって管理している下位の建物管理装置を特定し、特定した建物管理装置のそれぞれへ、受信した前記制御指令を転送する転送部と、
前記受信部が前記制御指令を受信した場合に、当該制御指令に対応するイベントプログラムを前記イベントプログラム保持部から抽出するイベントプログラム抽出部と、
抽出されたイベントプログラムを実行して自建物管理装置に対応する建物内の各設備機器の消費電力を制御するイベントプログラム実行部と
を有する。【０００９】
また、上記した広域管理システムにおいて、
前記送信部は、
前記第１の管理テーブル保持部が前記管理テーブルを保持した場合に、当該管理テーブルを参照して最上位の建物管理装置を特定し、特定した建物管理装置へ当該管理テーブルを送信してもよく、
前記受信部は、
前記広域管理装置または上位の代表管理装置から前記管理テーブルを受信した場合に、受信した管理テーブルを前記第２の管理テーブル保持部に保持させてもよく、
前記転送部は、
前記第２の管理テーブル保持部が前記管理テーブルを保持した場合に、当該管理テーブルを参照して前記下位の建物管理装置を特定し、特定した建物管理装置へ当該管理テーブルを転送するようにしてもよい。【００１０】
また、上記した広域管理システムにおいて、
それぞれの前記建物管理装置は、
自建物管理装置および前記下位の建物管理装置に対応付けて、それぞれの建物管理装置に対応する建物の消費電力の情報を保持する電力情報保持部と、
自建物管理装置に対応する建物の消費電力の情報を収集して前記電力情報保持部に保持させると共に、前記下位の建物管理装置から当該建物管理装置に対応する建物の消費電力の情報を収集して前記電力情報保持部に保持させる電力情報収集部と、
前記受信部が受信した前記制御指令を前記転送部が前記下位の建物管理装置のそれぞれへ転送し、かつ、当該制御指令に対応するイベントプログラムを自建物管理装置内の前記イベントプログラム実行部が実行した後に、前記電力情報保持部を参照して、自建物管理装置に対応する建物および前記下位の建物管理装置に対応する建物の消費電力の合計を算出し、算出した消費電力の合計が、前記制御指令で削減が指示されている消費電力以上の場合に、さらなる消費電力の削減を指示する追加指令を生成し、生成した追加指令を、自建物管理装置内のイベントプログラム抽出部、または、前記下位の建物管理装置の、少なくともいずれかへ送信する追加指令送信部と
をさらに有してもよい。【００１１】
また、上記した広域管理システムにおいて、
前記追加指令送信部は、
前記制御指令で指示されている消費電力未満となっている建物に対応する自建物管理装置内のイベントプログラム抽出部および前記下位の建物管理装置の中から、前記追加指令の送信先を１つ選択し、選択した建物管理装置へ前記追加指令を送信するようにしてもよい。【００１２】
また、上記した広域管理システムにおいて、
前記追加指令送信部は、
前記制御指令で指示されている消費電力未満となっている建物に対応する自建物管理装置内のイベントプログラム抽出部および前記下位の建物管理装置のそれぞれへ前記追加指令を送信するようにしてもよい。【００１３】
また、本発明の第二の態様は、例えば、各建物で消費される電力を管理する広域管理システムに用いられる広域管理装置であって、
それぞれの建物に対応して設けられた建物管理装置毎に、当該建物管理装置が上位の代表管理装置となって管理する下位の建物管理装置の情報を格納する管理テーブルを保持する管理テーブル保持部と、
前記管理テーブル保持部が保持している管理テーブルを参照して最上位の建物管理装置を特定し、特定した建物管理装置のそれぞれへ、各建物の消費電力の削減を指示する１つの制御指令を送信する送信部と
を備える。【００１４】
また、本発明の第三の態様は、例えば、各建物に対応して設けられる建物管理装置であって、
それぞれの建物管理装置毎に、当該建物管理装置が上位の代表管理装置となって管理する下位の建物管理装置の情報を格納する管理テーブルを保持する管理テーブル保持部と、
各建物の消費電力の削減を指示する制御指令に対応付けて、当該制御指令を実現するために、当該建物管理装置に対応する建物内の各設備機器に対して行うべき制御内容を記述したイベントプログラムを保持するイベントプログラム保持部と、
前記広域管理装置または上位の代表管理装置から前記制御指令を受信する受信部と、
前記受信部が前記制御指令を受信した場合に、前記管理テーブル保持部が保持している管理テーブルを参照して、自建物管理装置が代表管理装置となって管理している下位の建物管理装置を特定し、特定した建物管理装置のそれぞれへ、受信した前記制御指令を転送する転送部と、
前記受信部が前記制御指令を受信した場合に、当該制御指令に対応するイベントプログラムを前記イベントプログラム保持部から抽出するイベントプログラム抽出部と、
抽出されたイベントプログラムを実行して自建物管理装置に対応する建物内の各設備機器の消費電力を制御するイベントプログラム実行部と
を備える。【００１５】
また、本発明の第四の態様は、例えば、広域管理装置と、各建物に対応して設けられた建物管理装置とを備え、各建物で消費される電力を管理する広域管理システムにおける広域管理方法であって、
前記広域管理装置が、
それぞれの建物管理装置毎に、当該建物管理装置が上位の代表管理装置となって管理する下位の建物管理装置の情報を格納する管理テーブルを保持する第１の管理テーブル保持部を参照して最上位の建物管理装置を特定し、特定した建物管理装置のそれぞれへ、各建物の消費電力の削減を指示する１つの制御指令を送信する送信ステップを実行し、
それぞれの前記建物管理装置が、
前記広域管理装置または上位の代表管理装置から前記制御指令を受信する受信ステップと、
前記受信部が前記制御指令を受信した場合に、前記管理テーブルを保持する第２の管理テーブル保持部を参照して、自建物管理装置が代表管理装置となって管理している下位の建物管理装置を特定し、特定した建物管理装置のそれぞれへ、受信した前記制御指令を転送する転送ステップと、
前記受信ステップにおいて前記制御指令を受信した場合に、前記制御指令に対応付けて、当該制御指令を実現するために、当該建物管理装置に対応する建物内の各設備機器に対して行うべき制御内容を記述したイベントプログラムを保持するイベントプログラム保持部を参照して、当該制御指令に対応するイベントプログラムを抽出するイベントプログラム抽出ステップと、
抽出されたイベントプログラムを実行して自建物管理装置に対応する建物内の各設備機器の消費電力を制御するイベントプログラム実行ステップと
を実行する。【００１６】
また、上記した広域管理方法において、
前記広域管理装置は、前記送信ステップにおいて、
前記第１の管理テーブル保持部が前記管理テーブルを保持した場合に、当該管理テーブルを参照して最上位の建物管理装置を特定し、特定した建物管理装置へ当該管理テーブルを送信してもよく、
それぞれの前記建物管理装置は、前記受信ステップにおいて、
前記広域管理装置または上位の代表管理装置から前記管理テーブルを受信した場合に、受信した管理テーブルを前記第２の管理テーブル保持部に保持させてもよく、
それぞれの前記建物管理装置は、前記転送ステップにおいて、
前記第２の管理テーブル保持部が前記管理テーブルを保持した場合に、当該管理テーブルを参照して前記下位の建物管理装置を特定し、特定した建物管理装置へ当該管理テーブルを転送してもよい。【００１７】
また、上記した広域管理方法において、
それぞれの前記建物管理装置は、
自建物管理装置に対応する建物の消費電力の情報を収集して電力情報保持部に保持させると共に、前記下位の建物管理装置から当該建物管理装置に対応する建物の消費電力の情報を収集して前記電力情報保持部に保持させる電力情報収集ステップと、
前記受信ステップにおいて受信した前記制御指令を前記転送ステップにおいて前記下位の建物管理装置のそれぞれへ転送し、かつ、当該制御指令に対応するイベントプログラムを自建物管理装置内の前記イベントプログラム実行ステップにおいて実行した後に、前記電力情報保持部を参照して、自建物管理装置に対応する建物および前記下位の建物管理装置に対応する建物の消費電力の合計を算出し、算出した消費電力の合計が、前記制御指令で削減が指示されている消費電力以上の場合に、さらなる消費電力の削減を指示する追加指令を生成し、生成した追加指令に対応するイベントプログラムを前記イベントプログラム抽出ステップにおいて抽出するか、または、前記下位の建物管理装置の少なくともいずれかへ送信する追加指令送信ステップと
をさらに実行するようにしてもよい。【００１８】
また、上記した広域管理方法において、
それぞれの前記建物管理装置は、前記追加指令送信ステップにおいて、
前記制御指令で指示されている消費電力未満となっている建物に対応する自建物管理装置および前記下位の建物管理装置の中から、前記追加指令の送信先を１つ選択し、選択した建物管理装置へ前記追加指令を送信するようにしてもよい。【００１９】
また、上記した広域管理方法において、
それぞれの前記建物管理装置は、前記追加指令送信ステップにおいて、
前記制御指令で指示されている消費電力未満となっている建物に対応する自建物管理装置および前記下位の建物管理装置のそれぞれへ前記追加指令を送信するようにしてもよい。
【発明の効果】
【００２０】
本発明によれば、管理対象の建物が多い場合であっても、個々の建物の消費電力を制御する処理を広域管理装置と建物管理装置で分担することで広域管理装置の処理量を低減し、消費電力を制御する指令を送信する際の通信トラフィックの増加を低く抑えることができる。
【図面の簡単な説明】
【００２１】
【図１】本発明の一実施形態に係る広域管理システム１０の構成の一例を示すシステム構成図である。
【図２】各建物管理装置３０の階層構造を説明するための概念図である。
【図３】第１の実施形態における広域管理装置２０の機能構成の一例を示すブロック図である。
【図４】データベース２２に格納される指令テーブル２２０のデータ構造の一例を示す図である。
【図５】データベース２２に格納される管理テーブル２２１のデータ構造の一例を示す図である。
【図６】データベース２２に格納されるプログラムテーブル２２２のデータ構造の一例を示す図である。
【図７】データベース２２に格納される対応表２２３のデータ構造の一例を示す図である。
【図８】データベース２２に格納される電力情報テーブル２２４のデータ構造の一例を示す図である。
【図９】建物１４毎の制御内容の一例を説明するための概念図である。
【図１０】第１の実施形態における建物管理装置３０の機能構成の一例を示すブロック図である。
【図１１】第１の実施形態における広域管理装置２０の動作の一例を示すフローチャートである。
【図１２】第１の実施形態における建物管理装置３０の動作の一例を示すフローチャートである。
【図１３】第２の実施形態においてデータベース２２に格納される管理テーブル２２１のデータ構造の一例を示す図である。
【図１４】第２の実施形態における建物管理装置３０の機能構成の一例を示すブロック図である。
【図１５】第２の実施形態における広域管理システム１０の動作の一例を示すシーケンス図である。
【図１６】広域管理装置２０または建物管理装置３０の機能を実現するコンピュータ４０のハードウェア構成の一例を示す図である。
【発明を実施するための形態】
【００２２】
まず、本発明の第１の実施形態について、図面を参照しながら説明する。
【００２３】
図１は、本発明の一実施形態における広域管理システム１０の構成の一例を示すシステム構成図である。広域管理システム１０は、広域管理装置２０および複数の建物１４（１４−１、１４−２）のそれぞれに設けられた建物管理装置３０（３０−１、３０−２）を備える。広域管理装置２０およびそれぞれの建物管理装置３０は、通信回線１３に接続され、通信回線１３を介して通信データの送受信が可能である。
【００２４】
本実施形態における広域管理システム１０は、例えば図２（各建物管理装置３０の階層構造を説明するための概念図）に示すような階層構造を有している。図２において、「Ｃ０００」は、広域管理装置２０を示しており、「Ｂ００１」〜「Ｂ０１１」は、建物管理装置３０に対応する建物の建物ＩＤを示している。本実施形態では、基本的に、図２において線で結ばれた装置同士が通信を行う。図２の例において、最上位の建物管理装置３０は、「Ｂ００１」〜「Ｂ００３」の建物管理装置３０であり、広域管理装置２０と通信を行う。
【００２５】
本実施形態において、例えば「Ｂ００１」、「Ｂ００２」、「Ｂ００６」、「Ｂ００７」、または「Ｂ０１０」の建物管理装置３０のように、下位に１つ以上の建物管理装置３０が存在する建物管理装置３０を「代表管理装置」と呼ぶ。「代表管理装置」は、上位の広域管理装置２０または上位の代表管理装置から受信したデータを、下位の建物管理装置３０または下位の代表管理装置へ送信し、下位の建物管理装置３０または下位の代表管理装置から受信したデータを、上位の広域管理装置２０または上位の代表管理装置へ送信する。
【００２６】
本実施形態において、代表管理装置は、図２の点線で示すように、例えば、地理的に近い、あるいは、同一の組織の管理下にある建物に対応する建物管理装置３０や、同一の通信ネットワークに属する複数の建物管理装置３０等の単位で１つ設けられる。
【００２７】
広域管理装置２０は、操作端末１１を介して管理者１２から、それぞれの建物１４の消費電力を制御する制御指令を受け付け、受け付けた制御指令を、通信回線１３を介して、最上位の建物管理装置３０または代表管理装置へ送信する。各代表管理装置は、受信した制御指令を、下位の建物管理装置３０または下位の代表管理装置へ転送する。
【００２８】
また、広域管理装置２０は、通信回線１８を介して他の装置から制御指令を受け付けた場合にも、操作端末１１を介して管理者１２から制御指令を受け付けた場合と同様に動作することができる。「他の装置」とは、例えばＣＥＭＳ（Cluster/Community Energy Management System）等の地域全体のエネルギーマネジメントシステムにおいて、地域内の各建物の電力を制御すべく制御指令を送信するコミュニティ連携装置１７などが考えられる。
【００２９】
それぞれの建物管理装置３０は、建物１４内に設けられているＬＡＮ等の通信網１６に接続されており、建物１４内に設けられている各設備機器１５と通信網１６を介して通信データの送受信が可能である。また、それぞれの建物管理装置３０は、通信回線１３を介して広域管理装置２０から、制御指令に対応付けられたイベントプログラムを受信して保持する。それぞれの建物管理装置３０は、例えば、ＢＥＭＳ（Building Energy and Environmental Management System）に用いられる機器で構成されてもよい。
【００３０】
本実施形態において、イベントプログラムとは、建物１４内に設けられている各設備機器１５の動作を制御してそれぞれの設備機器１５の消費電力を制御するためのプログラムである。それぞれの建物管理装置３０は、通信回線１３を介して広域管理装置２０から制御指令の指令ＩＤを受信した場合に、受信した指令ＩＤに対応するイベントプログラムを実行することにより、制御指令に応じて建物１４全体の消費電力を制御する。
【００３１】
図３は、第１の実施形態における広域管理装置２０の詳細な機能構成の一例を示すブロック図である。本実施形態における広域管理装置２０は、制御指令受付部２１、データベース２２、登録情報受付部２３、情報出力部２４、送信部２５、および受信部２６を有する。データベース２２には、指令テーブル２２０、管理テーブル２２１、プログラムテーブル２２２、対応表２２３、および電力情報テーブル２２４が格納される。
【００３２】
指令テーブル２２０には、例えば図４（データベース２２に格納される指令テーブル２２０のデータ構造の一例を示す図）に示すように、それぞれの制御指令を識別する指令ＩＤ２２００に対応付けて、当該制御指令の内容２２０１を示す情報が格納される。
【００３３】
ここで、「定常運転」とは、例えば予め定められた設定で通常の運転を行う旨の指示であり、「ｘ％省電力化」とは、例えば管理下の全ての建物の消費電力の合計を、定格運転時の消費電力に対してｘ％とする旨の指示であり、「マニュアル操作優先運転」とは、例えば基本的に定常運転を行い、マニュアル操作があった場合にはその操作に応じた制御を優先する旨の指示である。
【００３４】
管理テーブル２２１には、例えば図５（データベース２２に格納される管理テーブル２２１のデータ構造の一例を示す図）に示すように、それぞれの建物管理装置３０に対応する建物を識別する建物ＩＤ２２１０に対応付けて、当該建物管理装置３０のアドレス情報２２１１、および、当該建物管理装置３０に対して下位となる他の建物管理装置３０の建物ＩＤを示す下位ＩＤ２２１２が格納される。
【００３５】
管理テーブル２２１を参照することにより、下位ＩＤにデータが登録されている建物管理装置３０が代表管理装置であることが分かると共に、それぞれの建物管理装置３０について、下位や上位の他の建物管理装置３０の建物ＩＤやアドレス情報を知ることができる。
【００３６】
プログラムテーブル２２２には、例えば図６（データベース２２に格納されるプログラムテーブル２２２のデータ構造の一例を示す図）に示すように、それぞれのイベントプログラムを識別するプログラムＩＤ２２２０に対応付けて、イベントプログラム本体２２２１が格納される。
【００３７】
対応表２２３には、例えば図７（データベース２２に格納される対応表２２３のデータ構造の一例を示す図）に示すように、建物ＩＤ２２３０に対応付けて、建物別対応表２２３１が格納される。それぞれの建物別対応表２２３１には、それぞれの制御指令を識別する指令ＩＤ２２３２毎に、対応する建物１４において、当該制御指令を実現するイベントプログラムのプログラムＩＤ２２３３が格納される。
【００３８】
電力情報テーブル２２４には、例えば図８（データベース２２に格納される電力情報テーブル２２４のデータ構造の一例を示す図）に示すように、建物ＩＤ２２４０に対応付けて、個別電力情報テーブル２２４１が格納される。それぞれの個別電力情報テーブル２２４１には、日付２２４２に対応付けて、それぞれの時間帯毎の消費電力２２４３が格納される。消費電力２２４３は、それぞれの時間帯において、建物ＩＤ２２４０に対応する建物１４内の設備機器１５の消費電力の合計を表わしている。
【００３９】
制御指令受付部２１は、操作端末１１を介して管理者１２から制御指令の閲覧を要求された場合に、指令ＩＤおよび対応する制御指令の内容をデータベース２２内の指令テーブル２２０から読み出して操作端末１１の画面に表示させる。そして、操作端末１１を介して管理者１２から制御指令の選択を受け付けた場合、制御指令受付部２１は、選択された制御指令の指令ＩＤを送信部２５へ送る。
【００４０】
登録情報受付部２３は、操作端末１１を介して管理者１２から指令テーブル２２０、管理テーブル２２１、プログラムテーブル２２２、または対応表２２３のデータを受け付けた場合に、受け付けたこれらのデータをデータベース２２内に格納する。
【００４１】
送信部２５は、データベース２２内に管理テーブル２２１が格納された場合に、格納された管理テーブル２２１を参照して、最上位の建物管理装置３０のアドレス情報を特定し、特定したアドレス情報で示される送信先に、当該管理テーブル２２１のデータを通信回線１３を介して送信する。
【００４２】
また、プログラムテーブル２２２または対応表２２３がデータベース２２内に格納された場合、あるいは、制御指令受付部２１から指令ＩＤを受け取った場合、送信部２５は、データベース２２内の管理テーブル２２１を参照して、最上位の建物管理装置３０のアドレス情報を特定し、特定したアドレス情報で示される送信先に、当該プログラムテーブル２２２または対応表２２３のデータ、あるいは、指令ＩＤを、通信回線１３を介して送信する。送信されたこれらのデータは、各代表管理装置によって、下位の建物管理装置３０へ順次転送され、最終的には全ての建物管理装置３０がこれらのデータを受信することができる。
【００４３】
受信部２６は、通信回線１３を介して最上位の建物管理装置３０から建物ＩＤと共に、日付および時間帯毎の消費電力の合計値を受信した場合に、受信した建物ＩＤに対応する個別電力情報テーブル２２４１をデータベース２２の電力情報テーブル２２４内で特定し、特定した個別電力情報テーブル２２４１内の該当する日付および時間帯の欄に、受信した消費電力の合計値を格納する。
【００４４】
情報出力部２４は、操作端末１１を介して管理者１２からデータベース２２内のデータの閲覧を指示された場合に、指示されたデータをデータベース２２から読み出して操作端末１１に表示させる。データベース２２内の情報が操作端末１１に表示されることにより、管理者１２は、制御指令を送信すべきか否か、どのような制御指令を送信すべきか等を判断するための情報や、制御指令を送信した後の各建物の消費電力の変化はどうなったか等の情報を取得することができる。
【００４５】
ここで、制御指令と建物１４毎に実行されるイベントプログラムの内容とを対応付けて説明すると、例えば図９（建物１４毎の制御内容の一例を説明するための概念図）のようになる。
【００４６】
図９に例示したように、例えば、建物ＩＤが「Ｂ００１」の「建物１」には、「１０％省電力化」の制御指令「Ｃ００１」に対して、「照明制御」については制御を行わず、「空調制御」については「設定温度を２℃変更」するという内容の制御を実行する「Ｐ００１」のイベントプログラムが対応付けられている。なお、「空調制御」における「設定温度を２℃変更」とは、例えば、冷房中であれば設定温度を２℃上昇させ、暖房中であれば設定温度を２℃下降させるという制御を意味する。
【００４７】
また、「建物１」には、「２０％省電力化」の制御指令「Ｃ００２」に対して、「照明制御」については「照明１」付近の「ブラインドを開く」、「空調制御」については「設定温度を４℃変更」するという内容の制御を実行する「Ｐ００２」のイベントプログラムが対応付けられている。なお、「建物１」として昇降機が設けられていない建物を想定したため、昇降機の制御は行われない。
【００４８】
また、建物ＩＤが「Ｂ００２」の「建物２」には、「２０％省電力化」の制御指令「Ｃ００２」に対して、「照明制御」については「照明１」および「照明２」のいずれも近傍の「ブラインドを開く」、「空調制御」については「設定温度を２℃変更」する、「昇降機制御」については「昇降機１」を「停止」させるという内容の制御を実行する「Ｐ１０２」のイベントプログラムが対応付けられている。
【００４９】
このように、それぞれの建物について、異なる量の省電力化を指示する制御指令に対応付けて、当該省電力化を実現するための各設備機器１５の個別の制御を実現するイベントプログラムが対応付けられている。これにより、広域管理装置２０から１つの制御指令がそれぞれの建物管理装置３０へ共通に送信されたとしても、各建物管理装置３０では、当該建物１４内に設けられている各設備機器１５に固有の制御方法で消費電力を制御することができる。
【００５０】
これにより、広域管理装置２０は、省電力化が必要になる都度、建物１４毎に異なる制御指令を作成して各建物１４へ個別に送信しなくても、全体の省電力化を指示する１つの制御指令を対象となる全ての建物１４へ共通に送信すれば、複数の建物１４全体として所望の省電力化を実現することができる。
【００５１】
図１０は、第１の実施形態における建物管理装置３０の機能構成の一例を示すブロック図である。本実施形態における建物管理装置３０は、転送部３１、受信部３２、データベース３３、イベントプログラム抽出部３４、イベントプログラム実行部３５、および電力情報収集部３６を有する。データベース３３には、管理テーブル３３０、建物別対応表３３１、個別プログラムテーブル３３２、および電力情報テーブル３３３が格納される。
【００５２】
管理テーブル３３０には、図４で説明したデータが格納される。建物別対応表３３１には、図７で説明した対応表２２３の中で、自建物管理装置３０に対応する建物の建物ＩＤに対応付けられている建物別対応表２２３１内のデータが格納される。個別プログラムテーブル３３２には、図６で説明したプログラムテーブル２２２の中で、建物別対応表３３１に格納されているプログラムＩＤおよびそれに対応するイベントプログラム本体が格納される。
【００５３】
電力情報テーブル３３３は、図８で説明した電力情報テーブル２２４と同様のデータ構造であり、自建物管理装置３０に対応する建物１４の電力情報が格納され、自建物管理装置３０が代表管理装置であれば下位の建物管理装置３０に対応する建物１４の電力情報も格納される。
【００５４】
受信部３２は、広域管理装置２０から管理テーブルを受信した場合に、受信した管理テーブルを転送部３１へ送ると共に、受信した管理テーブルを管理テーブル３３０としてデータベース２２に格納する。
【００５５】
また、広域管理装置２０から対応表を受信した場合、受信部３２は、受信した対応表を転送部３１へ送ると共に、受信した対応表の中で自建物管理装置３０に対応する建物１４の建物ＩＤに対応付けられている建物別対応表を抽出し、抽出した建物別対応表を建物別対応表３３１としてデータベース２２に格納する。
【００５６】
また、広域管理装置２０からプログラムテーブルを受信した場合、受信部３２は、受信したプログラムテーブルを転送部３１へ送ると共に、受信したプログラムテーブルの中で、データベース２２内の建物別対応表３３１に登録されているプログラムＩＤに対応付けられているイベントプログラム本体を抽出し、抽出したイベントプログラム本体をプログラムＩＤに対応付けて、個別プログラムテーブル３３２としてデータベース２２に格納する。
【００５７】
また、広域管理装置２０から指令ＩＤを受信した場合、受信部３２は、受信した指令ＩＤを転送部３１およびイベントプログラム抽出部３４へ送る。また、下位の建物管理装置３０から建物ＩＤと共に対応する建物の消費電力を示す電力情報を受信した場合、受信部３２は、受信した電力情報を、データベース２２内の電力情報テーブル３３３において、当該建物ＩＤに対応付けられている個別電力情報テーブル内に格納する。
【００５８】
転送部３１は、受信部３２から管理テーブルを受け取った場合に、自建物管理装置３０の下位として当該管理テーブルに登録されている他の建物管理装置３０のアドレス情報を特定し、特定したアドレス情報で示される送信先へ、当該管理テーブルを転送する。
【００５９】
また、受信部３２から対応表、プログラムテーブル、または指令ＩＤを受け取った場合、転送部３１は、データベース３３内の管理テーブル３３０を参照して、自建物管理装置３０の下位として登録されている他の建物管理装置３０のアドレス情報を特定し、特定したアドレス情報で示される送信先へ、受け取ったこれらの情報を転送する。
【００６０】
また、データベース３３内の電力情報テーブル３３３に電力情報が登録された場合、転送部３１は、データベース３３内の管理テーブル３３０を参照して、自建物管理装置３０が下位として登録されている他の建物管理装置３０（上位の代表管理装置）または広域管理装置２０のアドレス情報を特定し、特定したアドレス情報で示される送信先へ、当該電力情報を、対応付けられている建物ＩＤと共に転送する。
【００６１】
イベントプログラム抽出部３４は、受信部３２から指令ＩＤを受け取った場合に、データベース３３内の建物別対応表３３１を参照して、受け取った指令ＩＤに対応付けられているプログラムＩＤを特定する。そして、イベントプログラム抽出部３４は、特定したプログラムＩＤに対応付けられているイベントプログラムを、データベース３３内の個別プログラムテーブル３３２から抽出し、抽出したイベントプログラムをイベントプログラム実行部３５へ送る。
【００６２】
イベントプログラム実行部３５は、イベントプログラム抽出部３４から受け取ったイベントプログラムを実行することにより、通信網１６を介して建物１４内に設けられているそれぞれの設備機器１５の動作を制御して、それぞれの設備機器１５の消費電力を制御する。
【００６３】
電力情報収集部３６は、所定のタイミング毎に、建物１４内の各設備機器１５の消費電力の計測値を通信網１６を介して収集する。そして、電力情報収集部３６は、所定時間帯毎に全ての設備機器１５の消費電力の計測値を合計し、データベース３３の電力情報テーブル３３３内の該当する日付の該当する時間帯の欄に、消費電力の合計値を格納する。
【００６４】
図１１は、第１の実施形態における広域管理装置２０の動作の一例を示すフローチャートである。本フローチャートでは、管理テーブル等のデータの送信に関する動作が示されている。なお、本フローチャートとは別に、広域管理装置２０は、通信回線１３を介して建物管理装置３０から電力情報を随時受信してデータベース２２内の電力情報テーブル２２４に格納し、操作端末１１からの要求に応じて電力情報テーブル２２４内のデータを操作端末１１へ出力する。
【００６５】
まず、登録情報受付部２３は、管理テーブルを受け付けたか否かを判定する（Ｓ１００）。管理テーブルを受け付けた場合（Ｓ１００：Ｙｅｓ）、登録情報受付部２３は、受け付けた管理テーブルを管理テーブル２２１としてデータベース２２内に格納する（Ｓ１０１）。次に、送信部２５は、データベース２２内の管理テーブル２２１を参照して、最上位の建物管理装置３０のアドレス情報を特定する。そして、送信部２５は、特定したアドレス情報で示される送信先へ管理テーブル２２１を送信し（Ｓ１０２）、登録情報受付部２３は、再びステップＳ１００に示した処理を実行する。
【００６６】
管理テーブルを受け付けていない場合（Ｓ１００：Ｎｏ）、登録情報受付部２３は、プログラムテーブルまたは対応表を受け付けたか否かを判定する（Ｓ１０３）。プログラムテーブルまたは対応表を受け付けた場合（Ｓ１０３：Ｙｅｓ）、登録情報受付部２３は、受け付けたプログラムテーブルまたは対応表を、プログラムテーブル２２２または対応表２２３としてデータベース２２内に格納する（Ｓ１０４）。
【００６７】
次に、送信部２５は、データベース２２内の管理テーブル２２１を参照して、最上位の建物管理装置３０のアドレス情報を特定する。そして、送信部２５は、特定したアドレス情報で示される送信先へプログラムテーブル２２２または対応表２２３を送信し（Ｓ１０５）、登録情報受付部２３は、再びステップＳ１００に示した処理を実行する。
【００６８】
プログラムテーブルまたは対応表のいずれも受け付けていない場合（Ｓ１０３：Ｎｏ）、制御指令受付部２１は、制御指令の選択を受け付けたか否かを判定する（Ｓ１０６）。制御指令の選択を受け付けた場合（Ｓ１０６：Ｙｅｓ）、制御指令受付部２１は、データベース２２内の指令テーブル２２０を参照して、選択された制御指令に対応する指令ＩＤを特定し、特定した指令ＩＤを送信部２５へ送る。
【００６９】
次に、送信部２５は、データベース２２内の管理テーブル２２１を参照して、最上位の建物管理装置３０のアドレス情報を特定し、特定したアドレス情報で示される送信先へ、制御指令受付部２１から受け取った指令ＩＤを送信し（Ｓ１０７）、登録情報受付部２３は、再びステップＳ１００に示した処理を実行する。
【００７０】
図１２は、第１の実施形態における各建物管理装置３０の動作の一例を示すフローチャートである。本フローチャートでは、管理テーブル等のデータの受信および転送に関する動作が示されている。なお、本フローチャートとは別に、各建物管理装置３０は、対応する建物の各設備機器や下位の建物管理装置３０から電力情報を随時収集してデータベース３３の電力情報テーブル３３３内に格納し、通信回線１３を介して電力情報テーブル３３３内の電力情報を広域管理装置２０または上位の代表管理装置へ送信する。
【００７１】
まず、受信部３２は、広域管理装置２０または上位の代表管理装置から管理テーブルを受信したか否かを判定する（Ｓ２００）。管理テーブルを受信した場合（Ｓ２００：Ｙｅｓ）、受信部３２は、受信した管理テーブルを転送部３１へ送ると共に、受信した管理テーブルをデータベース２２内に格納する（Ｓ２０１）。
【００７２】
転送部３１は、受信部３２から受け取った管理テーブルを参照して、自建物管理装置３０の下位として当該管理テーブルに登録されている他の建物管理装置３０のアドレス情報を特定する。そして、転送部３１は、特定したアドレス情報で示される送信先へ、受け取った管理テーブルを転送し（Ｓ２０２）、受信部３２は、再びステップＳ２００に示した処理を実行する。
【００７３】
管理テーブルを受信していない場合（Ｓ２００：Ｎｏ）、受信部３２は、広域管理装置２０または上位の代表管理装置からプログラムテーブルまたは対応表を受信したか否かを判定する（Ｓ２０３）。プログラムテーブルまたは対応表を受信した場合（Ｓ２０３：Ｙｅｓ）、受信部３２は、受信したプログラムテーブルまたは対応表を転送部３１へ送る。そして、受信部３２は、受信したプログラムテーブルまたは対応表から個別プログラムテーブル３３２または建物別対応表３３１を作成してデータベース３３内に格納する（Ｓ２０４）。
【００７４】
転送部３１は、データベース３３内の管理テーブル３３０を参照して、自建物管理装置３０の下位として当該管理テーブルに登録されている他の建物管理装置３０のアドレス情報を特定する。そして、転送部３１は、特定したアドレス情報で示される送信先へ、受信部３２から受け取ったプログラムテーブルまたは対応表を転送し（Ｓ２０５）、受信部３２は、再びステップＳ２００に示した処理を実行する。
【００７５】
プログラムテーブルおよび対応表を受信していない場合（Ｓ２０３：Ｎｏ）、受信部３２は、広域管理装置２０または上位の代表管理装置から指令ＩＤを受信したか否かを判定する（Ｓ２０６）。指令ＩＤを受信していない場合（Ｓ２０６：Ｎｏ）、受信部３２は、再びステップＳ２００に示した処理を実行する。
【００７６】
指令ＩＤを受信した場合（Ｓ２０６：Ｙｅｓ）、受信部３２は、受信した指令ＩＤを転送部３１およびイベントプログラム抽出部３４へ送る。転送部３１は、データベース３３内の管理テーブル３３０を参照して、自建物管理装置３０の下位として当該管理テーブルに登録されている他の建物管理装置３０のアドレス情報を特定する。そして、転送部３１は、特定したアドレス情報で示される送信先へ、受信部３２から受け取った指令ＩＤを転送する（Ｓ２０７）。
【００７７】
次に、イベントプログラム抽出部３４は、受信部３２から受け取った指令ＩＤに基づいてデータベース３３内の建物別対応表３３１を参照し、受け取った指令ＩＤに対応付けられているプログラムＩＤを特定する。そして、イベントプログラム抽出部３４は、データベース３３内の個別プログラムテーブル３３２を参照して、特定したプログラムＩＤに対応付けられているイベントプログラムを抽出し、抽出したイベントプログラムをイベントプログラム実行部３５へ送る（Ｓ２０８）。
【００７８】
次に、イベントプログラム実行部３５は、イベントプログラム抽出部３４から受け取ったイベントプログラムを実行し（Ｓ２０９）、建物１４内に設けられているそれぞれの設備機器１５の動作を制御して、それぞれの設備機器１５の消費電力を制御する。そして、受信部３２は、再びステップＳ２００に示した処理を実行する。
【００７９】
以上、本発明の第１の実施形態について説明した。
【００８０】
上記説明から明らかなように、本実施形態の広域管理システム１０によれば、管理対象の建物１４が多い場合であっても、個々の建物１４の消費電力を制御する指令等を送信する際の通信トラフィックの増加を低く抑えることができる。
【００８１】
次に、本発明の第２の実施形態について、図面を参照しながら説明する。
【００８２】
本実施形態におけるシステム構成図は、図１に示した第１の実施形態のシステム構成と同様である。また、本実施形態における広域管理装置２０の機能構成も図３に示した第１の実施形態の機能構成を同様である。ただし、データベース２２内の管理テーブル２２１のデータ構造が第１の実施形態における電力情報テーブル２２４とは若干異なる。
【００８３】
図１３は、第２の実施形態においてデータベース２２に格納される管理テーブル２２１のデータ構造の一例を示す。図１３に示すように、管理テーブル２２１には、建物ＩＤ２２１０、アドレス情報２２１１、および下位ＩＤ２２１２に加えて、建物ＩＤ２２１０に対応する建物１４で定格運転時に消費される電力を示す定格電力２２１３のデータが格納される。
【００８４】
図１４は、第２の実施形態における建物管理装置３０の機能構成の一例を示すブロック図である。転送部３１、受信部３２、データベース３３、イベントプログラム抽出部３４、イベントプログラム実行部３５、電力情報収集部３６、および追加指令送信部３７を有する。データベース３３には、管理テーブル３３０、建物別対応表３３１、個別プログラムテーブル３３２、電力情報テーブル３３３、および指令テーブル３３４が格納される。なお、以下に説明する点を除き、図１４において、図１０と同じ符号を付した構成は、図１０における構成と同一または同様の機能を有するためその詳細な説明を省略する。
【００８５】
管理テーブル３３０には、図１３で説明した管理テーブル２２１のデータが格納される。受信部３２は、広域管理装置２０から指令ＩＤを受信した場合に、受信した指令ＩＤを転送部３１、イベントプログラム抽出部３４、および追加指令送信部３７へ送る。
【００８６】
追加指令送信部３７は、データベース３３内の管理テーブル３３０を参照して、下位に他の建物管理装置３０が存在するか否かを判定することにより、自建物管理装置３０が代表管理装置であるか否かを判定する。自建物管理装置３０が代表管理装置である場合、追加指令送信部３７は、さらにデータベース３３内の管理テーブル３３０を参照して、下位に他の代表管理装置が存在するか否かを判定する。
【００８７】
下位に他の代表管理装置が存在しない場合、追加指令送信部３７は、受信部３２から受け取った指令ＩＤに対応するイベントプログラムがイベントプログラム実行部３５によって実行された後、所定時間（例えば１０分）が経過した場合、あるいは電力情報テーブル３３３を参照し所定の建物ＩＤに対応する消費電力の値が更新された場合に、データベース３３内の管理テーブル３３０および指令テーブル３３４を参照して、受信部３２から受け取った指令ＩＤに対応する制御指令によって達成すべき消費電力の値を、自建物管理装置３０および下位の建物管理装置３０の建物１４のそれぞれについて算出する。
【００８８】
例えば、受信部３２から受け取った指令ＩＤに対応する制御指令が、定格運転から消費電力を２０％削減する旨の指令であり、自建物管理装置３０または下位の建物管理装置３０に対応する建物１４の定格運転時の消費電力が５０ｋＷである場合、追加指令送信部３７は、制御指令によって達成すべき消費電力の値を、５０ｋＷ×０．８＝４０ｋＷと算出する。
【００８９】
次に、追加指令送信部３７は、データベース３３内の電力情報テーブル３３３を参照して、自建物管理装置３０および下位の建物管理装置３０のそれぞれに対応する建物１４の現在の消費電力の値を抽出し、抽出した現在の消費電力の合計値を算出する。また、追加指令送信部３７は、自建物管理装置３０および下位の建物管理装置３０のそれぞれに対応する建物１４が制御指令によって達成すべき消費電力の合計値を算出する。そして、追加指令送信部３７は、算出した現在の消費電力の合計値が、制御指令によって達成すべき消費電力の合計値未満か否かを判定する。
【００９０】
現在の消費電力の合計値が、制御指令によって達成すべき消費電力の合計値未満である場合、追加指令送信部３７は、データベース３３内の管理テーブル３３０を参照して、自建物管理装置３０が下位として登録されている他の建物管理装置３０（上位の代表管理装置）または広域管理装置２０のアドレス情報を特定する。そして、追加指令送信部３７は、特定したアドレス情報で示される送信先へ、達成を示す情報を含む結果通知を送信する。
【００９１】
一方、現在の消費電力の合計値が、制御指令によって達成すべき消費電力の合計値以上である場合、追加指令送信部３７は、現在の消費電力の値が、制御指令によって達成すべき消費電力の値未満となっている建物１４を検索する。現在の消費電力の値が、制御指令によって達成すべき消費電力の値未満となっている建物１４が存在しない場合、追加指令送信部３７は、未達成を示す情報を含む結果通知を、上位の代表管理装置または広域管理装置２０へ送信する。
【００９２】
また、現在の消費電力の値が、制御指令によって達成すべき消費電力の値未満となっている建物１４が１つ以上存在する場合、追加指令送信部３７は、現在の消費電力の値が、制御指令によって達成すべき消費電力の値未満となっている建物１４の中で、追加指令の送信先を１つ選択する。
【００９３】
追加指令の送信先は、現在の消費電力の値が、制御指令によって達成すべき消費電力の値未満となっている建物１４の中で、ランダムに選択してもよく、１つの建物１４に追加指令が集中しないように、前回追加指令の受信回数の実績が少ない建物１４を優先的に選択してもよく、定格運転時の消費電力が大きい建物１４を優先的に選択するようにしてもよい。あるいは、現在の消費電力の値が、制御指令によって達成すべき消費電力の値未満となっている全ての建物１４を、追加指令の送信先として選択してもよい。
【００９４】
次に、追加指令送信部３７は、自建物管理装置３０および下位の建物管理装置３０に対応する建物１４について、現在の消費電力の合計値と、制御指令によって達成すべき消費電力の合計値との差分を削減量の不足分として算出する。そして、追加指令送信部３７は、算出した不足分に相当する消費電力を、制御指令によって達成すべき消費電力にさらに追加した追加指令を生成し、生成した追加指令に対応する指令ＩＤを、選択した建物１４の建物管理装置３０へ送信する。
【００９５】
例えば、定格運転時に対して一律に消費電力を２０％削減する旨の最初の制御指令に対する制御の結果、定常運転時に対して２１％の消費電力となった建物１４が追加指令の送信先として選択された場合、その建物１４の定格運転時の消費電力が４０ｋＷであり、不足分の消費電力が３．１ｋＷであれば、追加指令送信部３７は、当該建物管理装置３０に対して不足分の電力を追加して、定格運転時に対して消費電力を３０％削減する旨の制御指令を生成し、生成した制御指令に対応する指令ＩＤを当該建物１４の建物管理装置３０へ送信する。
【００９６】
また、下位に他の代表管理装置が存在する場合、追加指令送信部３７は、下位の全ての代表管理装置から結果通知を受信するまで待機する。下位の全ての代表管理装置から結果通知を受信した場合、追加指令送信部３７は、データベース３３内の電力情報テーブル３３３を参照して、自建物管理装置３０および下位の建物管理装置３０のそれぞれに対応する建物１４の現在の消費電力の値を抽出し、抽出した現在の消費電力の合計値を算出する。そして、追加指令送信部３７は、算出した現在の消費電力の合計値が、制御指令によって達成すべき消費電力の合計値未満か否かを判定する。
【００９７】
現在の消費電力の合計値が、制御指令によって達成すべき消費電力の合計値未満である場合、追加指令送信部３７は、上位の他の代表管理装置または広域管理装置２０へ、達成を示す情報を含む結果通知を送信する。
【００９８】
一方、現在の消費電力の合計値が、制御指令によって達成すべき消費電力の合計値以上である場合、追加指令送信部３７は、現在の消費電力の値が、制御指令によって達成すべき消費電力の値未満となっている建物１４、または、達成を示す結果通知を送信した下位の代表管理装置を検索する。現在の消費電力の値が、制御指令によって達成すべき消費電力の値未満となっている建物１４も、達成を示す結果通知を送信した下位の代表管理装置も存在しない場合、追加指令送信部３７は、未達成を示す情報を含む結果通知を、上位の代表管理装置または広域管理装置２０へ送信する。
【００９９】
また、現在の消費電力の値が、制御指令によって達成すべき消費電力の値未満となっている建物１４、または、達成を示す結果通知を送信した下位の代表管理装置が１つ以上存在する場合、追加指令送信部３７は、その中で、追加指令の送信先を１つ選択する。
【０１００】
なお、下位の代表管理装置は、その更に下位の建物管理装置３０に対して既に追加指令を送信している可能性があるため、下位の代表管理装置は、追加指令の送信先としては選択しないようにすることが好ましい。
【０１０１】
次に、追加指令送信部３７は、自建物管理装置３０および下位の建物管理装置３０（下位の代表管理装置およびその更に下位の建物管理装置３０を含む）に対応する建物１４について、現在の消費電力の合計値と、制御指令によって達成すべき消費電力の合計値との差分を削減量の不足分として算出する。そして、追加指令送信部３７は、算出した不足分に相当する消費電力を、制御指令によって達成すべき消費電力にさらに追加した追加指令を生成し、生成した追加指令に対応する指令ＩＤを、選択した建物１４の建物管理装置３０へ送信する。
【０１０２】
次に、第２の実施形態における広域管理システム１０全体の動作について図１５を用いて説明する。図１５は、第２の実施形態における広域管理システム１０の動作の一例を示すシーケンス図である。なお、図１５では、建物管理装置３０ａおよびｂは代表管理装置として動作し、建物管理装置３０ｂ〜ｄのそれぞれに対応する建物１４の定格運転時の消費電力は、それぞれ、５０ｋＷ、５０ｋＷ、および４０ｋＷであると仮定する。
【０１０３】
まず、広域管理装置２０の送信部２５または建物管理装置３０ａの転送部３１は、指令ＩＤを送信する（Ｓ３００）。図１５の例では、定格運転時に対して一律に消費電力を２０％に削減する旨の制御指令の指令ＩＤが送信される。建物管理装置３０ｂの転送部３１は、受信した指令ＩＤを、下位の建物管理装置３０ｃおよびｄへそれぞれ転送する（Ｓ３０１、Ｓ３０２）。
【０１０４】
次に、各建物管理装置３０ｂ〜ｄにおいて、イベントプログラム実行部３５は、受信した指令ＩＤに対応するイベントプログラムを実行し（Ｓ３０３）、電力情報収集部３６は、各建物１４の電力情報を収集してデータベース３３内の電力情報テーブル３３３に格納する（Ｓ３０４）。そして、建物管理装置３０ｃおよびｄの転送部３１は、電力情報テーブル３３３内に格納された電力情報を代表管理装置である建物管理装置３０ｂへ転送する（Ｓ３０５、Ｓ３０６）。
【０１０５】
ここで、イベントプトグラム実行後の建物管理装置３０ｂに対応する建物１４の消費電力は、定格運転時に対して−２０％（８０％）となり、建物管理装置３０ｂに対応する建物１４の消費電力は、定格運転時に対して−１４％（８６％）となり、建物管理装置３０ｃに対応する建物１４の消費電力は、定格運転時に対して−２１％（７９％）となったものと仮定する。
【０１０６】
次に、建物管理装置３０ｂの追加指令送信部３７は、データベース３３内の電力情報テーブル３３３を参照して、自建物管理装置３０ｂならびに下位の建物管理装置３０ｃおよびｄのそれぞれに対応する建物１４の現在の消費電力の値を抽出し、抽出した現在の消費電力の合計値を算出する（Ｓ３０７）。
【０１０７】
図１５に示す例では、建物管理装置３０ｂ〜ｄのそれぞれに対応する建物１４の定格運転時の消費電力が、それぞれ、５０ｋＷ、５０ｋＷ、および４０ｋＷであので、自建物管理装置３０ｂに対応する建物１４の現在の消費電力の値は、５０ｋＷ×０．８＝４０ｋＷ、下位の建物管理装置３０ｃに対応する建物１４の現在の消費電力の値は、５０ｋＷ×０．８６＝４３ｋＷ、下位の建物管理装置３０ｄに対応する建物１４の現在の消費電力の値は、４０ｋＷ×０．７９＝３１．６ｋＷとなる。よって、建物管理装置３０ｂの追加指令送信部３７は、４０ｋＷ＋４３ｋＷ＋３１．６ｋＷ＝１１４．６ｋＷを、現在の消費電力の合計値として算出する。
【０１０８】
次に、建物管理装置３０ｂの追加指令送信部３７は、自建物管理装置３０ｂならびに下位の建物管理装置３０ｃおよびｄのそれぞれに対応する建物１４が制御指令によって達成すべき消費電力の合計値を算出する（Ｓ３０８）。図１５に示す例では、建物管理装置３０ｂ〜ｄのそれぞれに対応する建物１４の定格運転時の消費電力が、それぞれ、５０ｋＷ、５０ｋＷ、および４０ｋＷであので、定格運転時に対して一律に消費電力を２０％に削減する旨の制御指令によって達成すべき消費電力の合計値は、５０ｋＷ×０．８＋５０ｋＷ×０．８＋４０ｋＷ×０．８＝１１２ｋＷとなる。
【０１０９】
次に、建物管理装置３０ｂの追加指令送信部３７は、算出した現在の消費電力の合計値が、制御指令によって達成すべき消費電力の合計値未満か否かを判定する（Ｓ３０９）。図１５の例では、現在の消費電力の合計値が１１４．６ｋＷなので、建物管理装置３０ｂの追加指令送信部３７は、制御指令によって達成すべき消費電力の合計値である１１２ｋＷ以上であると判定する。
【０１１０】
次に、建物管理装置３０ｂの追加指令送信部３７は、現在の消費電力の値が、制御指令によって達成すべき消費電力の値未満となっている建物１４の中で、追加指令の送信先となる建物１４を１つ選択する。図１５の例では、現在の消費電力の値が、制御指令によって達成すべき消費電力の値未満となっている建物１４は、建物管理装置３０ｂとｄのそれぞれに対応する建物１４であるので、建物管理装置３０ｂの追加指令送信部３７は、例えば建物管理装置３０ｄに対応する建物１４を、追加指令の送信先として選択する。
【０１１１】
次に、建物管理装置３０ｂの追加指令送信部３７は、自建物管理装置３０ｂならびに下位の建物管理装置３０ｃおよびｄに対応する建物１４について、現在の消費電力の合計値と、制御指令によって達成すべき消費電力の合計値との差分を削減量の不足分として算出する。図１５の例では、現在の消費電力の合計値が１１４．６ｋＷであり、制御指令によって達成すべき消費電力の合計値が１１２ｋＷであるので、建物管理装置３０ｂの追加指令送信部３７は、１１４．６ｋＷ−１１２ｋＷ＝２．６ｋＷを、削減量の不足分として算出する。
【０１１２】
次に、建物管理装置３０ｂの追加指令送信部３７は、算出した不足分に相当する消費電力を、制御指令によって達成すべき消費電力にさらに追加した追加指令を生成し、生成した追加指令に対応する指令ＩＤを、選択した建物１４に対応する建物管理装置３０へ送信する。図１５の例では、建物管理装置３０ｄの定格運転時の消費電力が４０ｋＷなので、不足分に相当する削減量は、２．６ｋＷ÷４０ｋＷ×１００＝６．５％となり、既に２０％削減の制御指令を送信しているので、２０％＋６．５％＝２６．５％以上に削減する制御指令を送信すればよいことになる。
【０１１３】
建物管理装置３０ｂの追加指令送信部３７は、データベース３３内の指令テーブル３３４を参照し、定格運転時に対して消費電力を２６．５％以上削減する制御指令に最も近い制御指令として、３０％削減の制御指令を特定する。そして、建物管理装置３０ｂの追加指令送信部３７は、生成した制御指令に対応する指令ＩＤを建物管理装置３０ｄへ送信する（Ｓ３１０）。建物管理装置３０ｄのイベントプログラム実行部３５は、受信した指令ＩＤに対応するイベントプログラムを実行する（Ｓ３１１）。
【０１１４】
次に、各建物管理装置３０ｂ〜ｄの電力情報収集部３６は、各建物１４の電力情報を収集してデータベース３３内の電力情報テーブル３３３に格納する（Ｓ３１２）。そして、建物管理装置３０ｃおよびｄの転送部３１は、電力情報テーブル３３３内に格納された電力情報を代表管理装置である建物管理装置３０ａへ転送する（Ｓ３１３、Ｓ３１４）。
【０１１５】
ここで、ステップＳ３１２において測定された建物管理装置３０ｂに対応する建物１４の消費電力は、定格運転時に対して−２０％（８０％）となり、建物管理装置３０ｃに対応する建物１４の消費電力は、定格運転時に対して−１４％（８６％）となり、建物管理装置３０ｄに対応する建物１４の消費電力は、定格運転時に対して−２８％（７２％）となったものと仮定する。
【０１１６】
次に、建物管理装置３０ｂの追加指令送信部３７は、再びデータベース３３内の電力情報テーブル３３３を参照して、自建物管理装置３０ｂならびに下位の建物管理装置３０ｃおよびｄのそれぞれに対応する建物１４の現在の消費電力の値を抽出し、抽出した現在の消費電力の合計値を算出する（Ｓ３１５）。
【０１１７】
ステップＳ３１２の時点では、自建物管理装置３０ｂに対応する建物１４の現在の消費電力の値は、５０ｋＷ×０．８＝４０ｋＷ、下位の建物管理装置３０ｃに対応する建物１４の現在の消費電力の値は、５０ｋＷ×０．８６＝４３ｋＷ、下位の建物管理装置３０ｄに対応する建物１４の現在の消費電力の値は、４０ｋＷ×０．７２＝２８．８ｋＷとなる。よって、建物管理装置３０ｂの追加指令送信部３７は、ステップＳ３１２の時点での消費電力の合計は、４０ｋＷ＋４３ｋＷ＋２８．８ｋＷ＝１１１．８ｋＷを、現在の消費電力の合計値として算出する。
【０１１８】
次に、建物管理装置３０ｂの追加指令送信部３７は、算出した現在の消費電力の合計値が１１１．８ｋＷなので、制御指令によって達成すべき消費電力の合計値である１１２ｋＷ未満であると判定し（Ｓ３１６）、達成を示す情報を含む結果通知を広域管理装置２０または上位の代表管理装置へ送信する（Ｓ３１７）。
【０１１９】
このように、各代表管理装置が、自建物管理装置３０および下位の建物管理装置３０の中で、広域管理装置２０または上位の代表管理装置から送信された指令ＩＤに対応する制御指令を実現するように、追加指令を作成して送信するため、一部の建物管理装置３０に対応する建物１４の消費電力が、制御指令通りに削減されなかったとしても、管理者１２が広域管理装置２０を介して制御指令を選択し直す手間を省くことができる。そのため、より利便性の高い広域管理システム１０を提供することができる。また、各代表管理装置は、まず現在の消費電力の合計値を算出し、次に達成すべき消費電力の合計値を算出し、次に達成できていないときに追加の指令を建物管理装置に送信することで、各代表管理装置の配下に接続された建物の消費電力を適正に低減することができる。
【０１２０】
以上、本発明の第２の実施形態について説明した。
【０１２１】
なお、上記第１または第２の実施形態における広域管理装置２０または各建物管理装置３０は、例えば図１６に示すような構成のコンピュータ４０によって実現される。
【０１２２】
図１６は、広域管理装置２０または各建物管理装置３０の機能を実現するコンピュータ４０のハードウェア構成の一例を示すハードウェア構成図である。コンピュータ４０は、ＣＰＵ（Central Processing Unit）４１、ＲＡＭ（Random Access Memory）４２、ＲＯＭ（Read Only Memory）４３、ＨＤＤ（Hard Disk Drive）４４、通信インターフェイス（Ｉ／Ｆ）４５、入出力インターフェイス（Ｉ／Ｆ）４６、およびメディアインターフェイス（Ｉ／Ｆ）４７を備える。
【０１２３】
ＣＰＵ４１は、ＲＯＭ４３またはＨＤＤ４４に格納されたプログラムに基づいて動作し、各部の制御を行う。ＲＯＭ４３は、コンピュータ４０の起動時にＣＰＵ４１によって実行されるブートプログラムや、コンピュータ４０のハードウェアに依存するプログラム等を格納する。
【０１２４】
ＨＤＤ４４は、ＣＰＵ４１によって実行されるプログラムおよび当該プログラムによって使用されるデータ等を格納する。通信インターフェイス４５は、通信回線１３を介して他の機器からデータを受信してＣＰＵ４１へ送ると共に、ＣＰＵ４１が生成したデータを、通信回線１３を介して他の機器へ送信する。
【０１２５】
ＣＰＵ４１は、入出力インターフェイス４６を介して、ディスプレイ等の出力装置、および、マウスやキーボード等の入力装置を制御する。ＣＰＵ４１は、入出力インターフェイス４６を介して、入力装置から信号を取得する。また、ＣＰＵ４１は、生成した信号を、入出力インターフェイス４６を介して出力装置へ出力する。
【０１２６】
メディアインターフェイス４７は、記録媒体４８に格納されたプログラムまたはデータを読み取り、ＲＡＭ４２を介してＣＰＵ４１に提供する。ＣＰＵ４１は、当該プログラムを、メディアインターフェイス４７を介して記録媒体４８からＲＡＭ４２上にロードし、ロードしたプログラムを実行する。記録媒体４８は、例えばＤＶＤ（Digital Versatile Disk）、ＰＤ（Phase change rewritable Disk）等の光学記録媒体、ＭＯ（Magneto-Optical disk）等の光磁気記録媒体、テープ媒体、磁気記録媒体、または半導体メモリ等である。
【０１２７】
コンピュータ４０が第１または第２の実施形態における広域管理装置２０として機能する場合、コンピュータ４０のＣＰＵ４１は、ＲＡＭ４２上にロードされたプログラムを実行することにより、制御指令受付部２１、データベース２２、登録情報受付部２３、情報出力部２４、送信部２５、および受信部２６の各機能を実現する。また、データベース２２内のデータは、ＲＯＭ４３やＨＤＤ４４内に格納されてもよく、ネットワーク上のデータベースに格納されてもよい。
【０１２８】
また、コンピュータ４０が第１の実施形態における建物管理装置３０として機能する場合、コンピュータ４０のＣＰＵ４１は、ＲＡＭ４２上にロードされたプログラムを実行することにより、転送部３１、受信部３２、データベース３３、イベントプログラム抽出部３４、イベントプログラム実行部３５、および電力情報収集部３６の各機能を実現する。また、データベース３３内のデータは、ＲＯＭ４３やＨＤＤ４４内に格納されてもよく、ネットワーク上のデータベースに格納されてもよい。
【０１２９】
また、コンピュータ４０が第２の実施形態における建物管理装置３０として機能する場合、コンピュータ４０のＣＰＵ４１は、ＲＡＭ４２上にロードされたプログラムを実行することにより、転送部３１、受信部３２、データベース３３、イベントプログラム抽出部３４、イベントプログラム実行部３５、電力情報収集部３６、および追加指令送信部３７の各機能を実現する。また、データベース３３内のデータは、ＲＯＭ４３やＨＤＤ４４内に格納されてもよく、ネットワーク上のデータベースに格納されてもよい。
【０１３０】
コンピュータ４０のＣＰＵ４１は、これらのプログラムを、記録媒体４８から読み取って実行するが、他の例として、他の装置から、通信回線１３を介してこれらのプログラムを取得してもよい。なお、広域管理装置２０や建物管理装置３０には、ＨＤＤ４４を設けずに、プログラムやデータ等は書き換え可能なＲＯＭ４３内に格納するようにしてもよい。
【０１３１】
また、本発明は、上記した各実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【０１３２】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現されてもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【０１３３】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１３４】
１０：広域管理システム、１１：操作端末、１２：管理者、１３：通信回線、１４：建物、１５：設備機器、１６：通信網、１７：コミュニティ連携装置、１８：通信回線、２０：広域管理装置、２１：制御指令受付部、２２：データベース、２２０：指令テーブル、２２１：管理テーブル、２２２：プログラムテーブル、２２３：対応表、２２４：電力情報テーブル、２３：登録情報受付部、２４：情報出力部、２５：送信部、２６：受信部、３０：建物管理装置、３１：転送部、３２：受信部、３３：データベース、３３０：管理テーブル、３３１：建物別対応表、３３２：個別プログラムテーブル、３３３：電力情報テーブル、３３４：指令テーブル、３４：イベントプログラム抽出部、３５：イベントプログラム実行部、３６：電力情報収集部、３７：追加指令送信部、４０：コンピュータ、４１：ＣＰＵ、４２：ＲＡＭ、４３：ＲＯＭ、４４：ＨＤＤ、４５：通信インターフェイス、４６：入出力インターフェイス、４７：メディアインターフェイス、４８：記録媒体
【図１】
2015029194.tif 000003
【図２】
2015029194.tif 000004
【図３】
2015029194.tif 000005
【図４】
2015029194.tif 000006
【図５】
2015029194.tif 000007
【図６】
2015029194.tif 000008
【図７】
2015029194.tif 000009
【図８】
2015029194.tif 000010
【図９】
2015029194.tif 000011
【図１０】
2015029194.tif 000012
【図１１】
2015029194.tif 000013
【図１２】
2015029194.tif 000014
【図１３】
2015029194.tif 000015
【図１４】
2015029194.tif 000016
【図１５】
2015029194.tif 000017
【図１６】
2015029194.tif 000018
【国際調査報告】
2015029194.tif 000019
2015029194.tif 000020